(57)【特許請求の範囲】
【請求項１】
基板上にチップを圧着するチップボンディング装置であって、
チップを保持するヘッドと、前記ヘッドを基板に向けて加圧する加圧シリンダーと、前記加圧シリンダーを昇降変位可能に支持する第１の支持機構と、前記ヘッドを基板に向けて加圧したときに、前記加圧シリンダーに作用する反力を支持する、前記第１の支持機構とは分離独立した第２の支持機構とを備えたことを特徴とするチップボンディング装置。
【請求項２】
請求項１に記載のチップボンディング装置において、
前記第２の支持機構は、前記加圧シリンダーに接触することにより、前記加圧シリンダーに作用する反力を支持するチップボンディング装置。
【請求項３】
請求項２に記載のチップボンディング装置において、
前記第２の支持機構は、前記加圧シリンダーに点接触で接触するチップボンディング装置。
【請求項４】
請求項３に記載のチップボンディング装置において、
前記第２の支持機構は、前記加圧シリンダーに球面状の接点で接触するチップボンディング装置。
【請求項５】
請求項１に記載のチップボンディング装置において、
第１の支持機構は、固定されたヘッド支柱と、このヘッド支柱に鉛直方向に配設されたガイドレールと、このガイドレールに摺動自在に嵌合されるとともに、前記加圧シリンダーに連結された可動部材とを備えているチップボンディング装置。
【請求項６】
請求項１に記載のチップボンディング装置において、
前記第２の支持機構は、固定されたフレームと、このフレームに連結された反力受け部材とを備え、この反力受け部材が前記加圧シリンダーに接触することにより、前記加圧シリンダーに作用する反力を支持するチップボンディング装置。
【請求項７】
基板上にチップを圧着するチップボンディング装置であって、
チップを加圧するヘッドと、前記ヘッドを基板に向けて加圧する加圧シリンダーと、前記加圧シリンダーを昇降変位可能に支持する第１の支持機構と、前記ヘッドを基板に向けて加圧したときに、前記加圧シリンダーに作用する反力を支持する、前記第１の支持機構とは分離独立した第２の支持機構とを複数組備えたことを特徴とするチップボンディング装置。
【請求項８】
請求項７に記載のチップボンディング装置において、
前記第１の支持機構は、前記各加圧シリンダーを昇降変位可能に支持し、
前記第２の支持機構は、前記第１の支持機構とは分離独立しており、前記各ヘッドを基板に向けて同時に加圧したときに、前記加圧シリンダーに作用する反力を支持するチップボンディング装置。
【請求項９】
請求項７に記載のチップボンディング装置において、
前記第１の支持機構は、固定されたヘッド支柱と、このヘッド支柱に昇降自在取り付けられるとともに、各加圧シリンダーを昇降変位可能に支持する昇降部材とを備え、
前記昇降部材を各加圧シリンダーと一体に昇降させる駆動手段を備えているチップボンディング装置。
【請求項１０】
請求項９に記載のチップボンディング装置において、
前記第２の支持機構は、固定されたフレームと、このフレームに連結された第１の反力受け部材と、この第１の反力受け部材に昇降自在に支持されるとともに、前記昇降部材に点接触ないし線接触で連結され、かつ前記昇降部材に配設された各加圧シリンダーに接触する第２の反力受け部材とを備え、さらに、前記昇降部材の駆動手段は、前記第１の反力受け部材に取り付けられており、この駆動手段の駆動軸が前記第２の反力受け部材に連結しているチップボンディング装置。
【発明の詳細な説明】
技術分野
この発明は、半導体素子などのチップを基板上にボンディングするチップボンディング装置に係り、特にチップを保持して基板上に圧着させるツール（以下、「ヘッド」という）の支持構造に関する。
背景技術
チップを基板上に直接実装するフリップチップ方式の代表的な工法の一つとして、ＡＣＦ（Anisotropic conductive Film）工法がある。この工法は、チップを基板上に固着するための接着剤中に導電粒子を混ぜ合わせたＡＣＦを用いる。基板に貼られたＡＣＦ上からチップを実装することにより、チップと基板の接着と同時に、上下電極間に挟まれた導電粒子により、チップと基板とが電気的に接続される。ＡＣＦ工法では、ポリエステルフィルム上に接着剤をコーティングしたものをＡＣＦテープ送り部から供給し、セパレーターをはがし取りながら、接着材層に切れ目を入れヒートツールによって上部から加熱加圧する事により、ＡＣＦを基板側へ熱転写する。次にヘッドで保持されたチップをＡＣＦの上から圧着すると、接着剤中の導電粒子を介してチップのバンプと基板の電極とが導通する。圧着時にチップが加熱加圧されることにより、接着剤（バインダー）が硬化し、チップと基板とが導通された状態で接着する。
以下、チップを基板上に圧着する工程で用いられる従来のチップボンディング装置を図面を参照して説明する。第１図は従来のチップボンディング装置の概略構成を示している。
従来のチップボンディング装置は、チップを保持するヘッド１を基板２に向けて加圧する加圧シリンダー３が、逆Ｌの字状のヘッド支柱１５に取り付けられている。加圧シリンダー３のロッド３ａの中間部はスライド部１６を介してヘッド支柱１５に支持されている。また、加圧シリンダー３のロッド３ａの下端にヘッド１が取り付けられている。ヘッド１の下方にテーブル６がある。このテーブル６上に、ＡＣＦが転写された基板２が保持されている。図示しないチップはヘッド１の下面に保持されている。この状態で加圧シリンダー３のロッド３ａが伸張することにより、チップが基板２上に圧着される。
以上のように、従来のチップボンディング装置は、加圧シリンダー３、スライド部１６、およびヘッド１が、ヘッド支柱１５と一体になっているので、ヘッド１がチップを基板２上に加圧するときに、その反作用として、加圧シリンダー３が取り付けられたヘッド支柱１５の水平部材が押し上げられて、ヘッド支柱１５に曲げモーメントが作用し、ヘッド支柱１５に撓みや反りが生じる。その結果、ヘッド１とテーブル６との間に数ミクロンオーダーのブレや平行度のくるいが生じる。
ヘッド１とテーブル６との間のブレや平行度のくるいにより、次のような不都合を生じる。すなわち、第２図に示す様にＡＣＦ中の導電粒子２１を挟むチップ２２側のバンプ２３と、基板２側の電極２４とが擦れ合う（すなわち、水平面内で相対変位する）状態となる。これによりバンプ２３と電極２４との間にある導電粒子２１は微少ではあるが転がり移動し、バンプ２３と電極２４との間に卵型の広がり空間ができる。その結果、導電粒子２１とバンプ２３、あるいは導電粒子２１と電極２４との接触面積が小さくなり、導電抵抗値が大きくなったり、また、そのバラツキを生じる原因となる。この解決策として、ヘッド支柱１５の剛性を上げることも考えられるが、限界がある。
特に最近の傾向として、圧着工程の処理時間を短縮するなどの観点から、２ヘッド又はそれ以上のヘッドを使って同時にチップを圧着する装置が提案実施されており、このようなマルチヘッドの装置においては上記問題点は一層顕著に現れる。
本発明はこのような事情に鑑みてなされたものであって、チップの圧着時に、ヘッドのブレや平行度のくるいが生じないようにすることを目的とする。
発明の開示
本発明は、基板上にチップを圧着するチップボンディング装置であって、チップを保持するヘッドと、前記ヘッドを基板に向けて加圧する加圧シリンダーと、前記加圧シリンダーを昇降変移可能に支持する第１の支持機構と、前記ヘッドを基板に向けて加圧したときに、前記加圧シリンダーに作用する反力を支持する、前記第１の支持機構とは分離独立した第２の支持機構とを備えたことを特徴とする。
本発明によれば、加圧シリンダーが第１の支持機構に昇降変移可能に支持されているので、チップ圧着時に加圧シリンダーに反力が作用すると、その反力は第２の支持機構に受け持たれる。この第２の支持機構は、加圧シリンダーを支持する第１の支持機構とは分離独立しているので、第２の支持機構が前記反力によって撓んだり反ったりしても、その影響は第１の支持機構に伝わらない。つまり、加圧シリンダーを支持する第１の支持機構が撓んだり反ったりしないので、圧着時にヘッドにブレや平行度のくるいが生じない。
第２の支持機構は、加圧シリンダーに接触することにより、加圧シリンダーに作用する反力を支持するように構成するのが好ましい。このように構成すれば、第１の支持機構だけでなく、加圧シリンダーも第２の支持機構の撓みや反りの影響を受けないので、圧着時のヘッドのブレや平行度のくるいを一層低減することができる。
第２の支持機構と加圧シリンダーとの接触構造は、直接的な接触、あるいは間接的な接触のいずれであってもよい。接触構造は、接触抵抗を小さくする観点から、例えば、球面状接点のような点接触が好ましい。
本発明は、一組のヘッドと加圧シリンダーとを備えた装置、あるいは複数組のヘッドと加圧シリンダーとを備えた装置のいずれにも適用可能である。複数組のヘッドと加圧シリンダーとを備えた装置の場合にも、各加圧シリンダーを昇降変移可能に支持する第１の支持機構と、各加圧シリンダーに作用する反力を支持する第２の支持機構とは、分離独立して構成される。
【図面の簡単な説明】
第１図は、従来装置の概略構成を示した図である。
第２図は、従来装置による圧着状態を示した断面図である。
第３図は、本発明に係るチップボンディング装置の第１実施例の概略構成を示した図である。
第４図は、実施例装置による圧着状態を示した断面図である。
第５図は、第２実施例装置の正面図である。
第６図は、第２実施例装置の側面図である。
発明を実施するための最良の形態
以下、本発明の好適な実施例を図面を参照して説明する。
（第１実施例）
第３図は、本発明に係るチップボンディング装置の第１実施例の概略構成図である。
本実施例装置は、その下面にチップ（図示せず）を保持するヘッド１と、このヘッド１を基板２に向けて加圧する加圧シリンダー３と、この加圧シリンダー３を昇降変移可能に支持する第１の支持機構４と、ヘッド１を基板２に向けて加圧したときに、加圧シリンダー３に作用する反力を支持する、第１の支持機構４とは分離独立した第２の支持機構５とを備えている。
基板２はテーブル６上に保持されている。基板２のボンディング個所には予めＡＣＦ（Anisotropic Conductive Film）が転写されている。
ヘッド１は、吸引機構あるいは機械式ツメなどの適宜な保持機構によって、その下面にチップを保持する。ヘッド１は加圧シリンダー３から延び出たロッド３ａの下端に連結されている。
第１の支持機構４は、固定されたヘッド支柱７と、このヘッド支柱７に鉛直方向に配設されたガイドレール８と、このガイドレール８に摺動自在に嵌合されるとともに、加圧シリンダー３に連結された可動部材９とを備えている。ロッド３ａの中間部位も同様のガイドレール８および可動部材９によって昇降変移可能に支持されている。
第２の支持機構５は、固定されたフレーム１０と、このフレーム１０に連結された反力受け部材１１とを備え、この反力受け部材１１が加圧シリンダー３の頂部に接触することにより、加圧シリンダー３に作用する反力を支持するようになっている。加圧シリンダー３の頂部には球面状の接点１２が形成されており、この接点１２を介して、反力受け部材１１が加圧シリンダー３に作用する反力を点接触で支持している。
以上のように構成された実施例装置において、ヘッド１が加圧シリンダー３の作動に基きテーブル６の基板２上へチップを圧着するとき、加圧シリンダー３に作用する反力が、フレーム１０と一体の反力受け部材１１へ伝えられ、フレーム１０と反力受け部材１１とからなる第１の支持機構４はその押し上げ力に基きモーメントを受けて撓んだり、反ったりする。
しかし、本実施例では、第１の支持機構４への押し上げ力の影響を受けない様に、加圧シリンダー３を支持する第２の支持機構５を第１の支持機構４とは分離独立した構成としている。また、フレーム１０及び反力受け部材１１の撓みや反りの微動を吸収する様に、加圧シリンダー３を第１の支持機構４によって昇降変移可能に支持した。したがって、第２の支持機構５は、加圧シリンダー３からの押上げ力を受けて、撓みや反りを生じているが、第１の支持機構４に撓みや反りが生じないので、ヘッド１はガイドレール８に沿って鉛直に降下し、的確な圧着力をテーブル６に伝える。
さらに、加圧シリンダー３が作動してヘッド１を基板２に向けて加圧したとき、その反力によって、フレーム１０と反力受け部材１１に撓みや反りが生じるが、反力受け部材１１と加圧シリンダー３との間が第１図に示した従来装置のように連結固定されていると、加圧シリンダー３が、反力受け部材１１の撓みや反りの影響を受け、ガイドレール８に曲げモーメントを与えてしまうので、ヘッド１とテーブル６との間にブレや平行度のくるいが生じる。そこで、本実施例では、その曲げモーメントの影響を取り除く構成として、加圧シリンダー３の頂部と反力受け部材１１との間に球面状の接点１２を設け、反力受け部材１１が加圧シリンダー３の反力を点接触で支持するようにした。これによって、第１の支持機構４が何ら曲げ力の影響を受けずにヘッド１を鉛直方向にスライドさせることができる。
したがって、ヘッド１とテーブル６との間の数ミクロンオーダーのブレや平行度のくるいを受けずに安定した圧着が可能となる。その結果、第４図に示すように、ＡＣＦ中の導電粒子２１をはさむチップ２２側のバンプ２３と基板２側の電極２４とが擦り合うこともなく、バンプ２３及び電極２４に、導電粒子２１が均一に変形して十分に抱え込まれる。その結果、バンプ２３及び電極２４と、導電粒子２１との間の接触面積が大きくなって、導電抵抗値が小さくなり、またそのバラツキも小さくなる。
（第２実施例）
第２実施例装置は、チップの圧着を効率良く行うために、２ヘッド又はそれ以上のヘッドを備えた、いわゆるマルチヘッドタイプのチップボンディング装置である。第５図は第２実施例に係るマルチヘッドタイプのチップボンディング装置の正面図、第６図はその側面図である。
このチップボンディング装置は、複数個の加圧シリンダー３を昇降変移可能に支持する第１の支持機構３０と、この第１の支持機構３０とは分離独立しており、各加圧シリンダー３の作動により各ヘッド１が基板２に向けて同時に加圧されたときに、各加圧シリンダー３に作用する反力を支持する第２の支持機構３１とを備えている。
第１の支持機構３０は、固定されたヘッド支柱３２と、このヘッド支柱３２に昇降自在に取り付けられるとともに、各加圧シリンダー３を昇降変移可能に支持する昇降部材３３とを備える。具体的には、ヘッド支柱３２に鉛直方向にガイドレール３４が配設され、このガイドレール３４に可動部材３５が摺動自在に嵌合し、この可動部材３５が昇降部材３３に連結している。また、昇降部材３３にも同様に、各加圧シリンダー３に対応して複数個のガイドレール３６が配設され、各ガイドレール３６に可動部材３７が摺動自在に嵌合し、これらの可動部材３７が各加圧シリンダー３に連結している。なお、各加圧シリンダー３のロッド３ａの中間部材は、昇降部材３３に立設されたガイド部材３８に案内されている。
第２の支持機構３１は、固定されたフレーム３９と、このフレーム３９に連結された第１の反力受け部材４０と、この第１の反力受け部材４０に昇降自在に支持されるとともに、昇降部材３３に点接触ないしは線接触で連結され、かつ昇降部材３３に配設された複数個の加圧シリンダー３に接触する第２の反力受け部材４１とを備えている。具体的には、第２の反力受け部材４１の両端部に立設されたガイドポスト４２が第１の反力受け部材４０に配設されたガイド部材４３に鉛直方向に案内されている。第２の反力受け部材４１の下面中央部に略Ｌの字状の係止片４４が連結されており、この係止片４４が昇降部材３３に回動自在に取り付けられた一対のローラ４５に挟持されることにより、第２の反力受け部材４１が昇降部材３３に点接触ないしは線接触状態で連結されている。また、昇降部材３３を各加圧シリンダー３と一体に昇降させるアクチュエータ（駆動手段）４６が第１の反力受け部材４０に配設されており、このアクチュエータ４６の駆動軸４６ａが第２の反力受け部材４１に連結している。アクチュエータ４６としては、例えばエアーシリンダやサーボモータが用いられる。
次に第２実施例装置の動作を説明する。
初期状態において、各加圧シリンダー３は昇降部材３３と一体に、上限位置にまで引き上げられている。チップの実装開始に伴い、アクチュエータ４６が作動して、各加圧シリンダー３は昇降部材３３と一体に下降する。ヘッド１がテーブル６上の所定高さ位置にまで下降したときに、アクチュエータ４６による下降移動が停止する。続いて、各加圧シリンダー３が同時に作動して、各ヘッド１を基板に向けて加圧することにより、チップを各基板２上に同時に圧着する。
本実施例は、原理的には、第１実施例で説明した１ヘッドの場合と同様に、ヘッド１及び加圧シリンダー３を支える第１の支持機構３０と、各加圧シリンダー３の反力を支持する第２の支持機構３１とを分離独立して構成し、第１実施例と同様の効果を得ている。
第１実施例の１ヘッドタイプの装置においては、第３図に示したように、反力受け部材１１のＹ方向のたわみだけ考慮すれば良かったが、第２実施例のようなマルチヘッドタイプの装置においては、Ｘ方向（ヘッド並列方向）のたわみも考慮するのが好ましい。そこで、第２実施例では、第１の反力受け部材４０から上下方向にスライドガイドされた第２の反力受け部材４１を昇降部材３３に対して中央で点接触ないしは線接触状態で結合させるとともに、昇降部材３３を昇降変移可能に構成している。また、各加圧シリンダー３と第２の反力受け部材４１とを、第１実施例と同様に、球面状の接点１２を介して接触させている。
したがって、第２実施例によれば、チップの圧着時に各加圧シリンダー３に作用する反力、特にＹ方向の撓みを生じさせる反力は、第２の反力受け部材４１およびアクチュエータ４６の駆動軸４６ａを介して、第１の反力受け部材４０に伝達され、この第１の反力受け部材４０で支持される（第６図参照）。上述したように第１の支持機構３０と第２の支持機構３１とは分離独立しており、また、第２の反力受け部材４１と各加圧シリンダー３とは球面状接点１２を介して接触しているので、上記反力によってヘッド支柱３２がＹ方向に撓むことはない。
一方、チップ圧着時における各ヘッド１の加圧力にばらつきがあると、各加圧シリンダー３に作用する反力もばらつくので、結果として、各加圧シリンダー３間にＸ方向の撓みを生じさせる反力が作用する。各加圧シリンダー３は昇降変移可能であるので、前記反力は第２の反力受け部材４１に作用する。この反力を受けた第２の反力受け部材４１は、第５図に示すように、Ｘ方向に撓むが、第２の反力受け部材４１と昇降部材３３は点接触で連結されているので、この連結部分に曲げモーメントは作用しない。また、各加圧シリンダー３は昇降部材３３に対して昇降変移可能で、かつ第２の反力受け部材４１と各加圧シリンダー３とは球面状接点１２で接触しているので、第２の反力受け部材４１がＸ方向に撓んでも、各加圧シリンダー３に曲げモーメントが作用しない。したがって、昇降部材３３がＸ方向に撓むことはない。
以上のように、本実施例装置によれば、マルチヘッドタイプのチップボンディング装置において、各ヘッド１とテーブル６との間にブレや平行度のくるいが生じることがなく、複数個のチップを同時に的確に基板上に圧着することができる。
なお、本発明はＡＣＦ工法に限らず、種々のフリップチップ工法に適用可能である。すなわち、チップを基板上に直接に実装するフリップチップ工法おいては、基板上の電極チップ上にチップのバンプ（電極）を圧着するため、チップの全範囲で、数マイクロメートルオーダーの平行度が必要となり、ヘッドにモーメントが加わわらなく、且つ、平行度にくるいが生じない本方式が有効である。
産業上の利用可能性
以上のように、本発明は、チップを保持するヘッドと、基板を保持するテーブルとの間に、ブレや平行度のくるいが生じないので、チップを基板上に圧着するフリップチップ工法に有用である。
【図１】
0003599706.tif 000002
【図２】
0003599706.tif 000003
【図３】
0003599706.tif 000004
【図４】
0003599706.tif 000005
【図５】
0003599706.tif 000006
【図６】
0003599706.tif 000007